(57)【要約】【課題】食器かごに載置できる食器の種類や載置する方向を直感的に認識できるようにし、食器のセット性を向上し、使い勝手が良く本来の洗浄性能が発揮できる食器洗い機を提供する。【解決手段】食器類２０を横向きに立てて載置する食器かご２１を備え、食器かご２１は、食器類２０の２ヶ所の下部をそれぞれ支持する支持部材２９と、複数の支持部材２９を繋ぐように構成される連結部材３０とを有し、連結部材３０は高台を有する食器の断面形状を模して形成された食器洗い機としたことで、載置できる食器の種類や載置する方向を直感的に認識できるようになり、食器のセット性を向上することができる。【選択図】図４
2014076138.tif 000002
【特許請求の範囲】
【請求項１】
食器類を横向きに立てて載置する食器かごを備え、前記食器かごは、前記食器類の少なくとも２ヶ所の下部をそれぞれ支持する支持部材と、前記複数の支持部材を繋ぐように構成される連結部材とを有し、前記連結部材は、高台を有する食器の断面形状を模して形成された食器洗い機。
【請求項２】
前記連結部材の高台形状が凹形状で形成された請求項１に記載の食器洗い機。
【発明の詳細な説明】
【技術分野】
【０００１】
本発明は食器類を洗浄する食器洗い機に関するもので、特に食器が載置される食器かごに関するものである。
【背景技術】
【０００２】
従来、この種の食器洗い機は図９，１０のように構成されている（例えば、特許文献１参照）。図９は、従来の食器洗い機の縦断面図である。図９において、食器洗い機本体１は内部には洗浄槽２が設けられ、洗浄槽２内の洗浄水を循環させる洗浄ポンプ３が洗浄槽２の底部外方に配設されて洗浄モータ４により回転駆動される。洗浄槽２の底部には残菜フィルタ５が配設される。残菜フィルタ５を通して洗浄ポンプ３に吸い込まれた洗浄水は、洗浄槽２の底部に設けられたヒーター６により加熱されながら洗浄ポンプ３の吐出側より噴射ノズル７へ圧送され、噴射穴８から噴射される。この噴射水流が食器かご９に載置された食器１０に当たり、食器を洗浄する。
【０００３】
食器かご９は図１０に示すように、ワイヤー９ａにより格子状に構成され、ワイヤー１１ａを上部に突出させた皿類セット部１１が配置され、さらに、樹脂製の碗類セットかご１３が着脱可能に取り付けられている。碗類セットかご１３は左右に複数の形状からなる支持ピン１４が数多く配置され、様々な形状の碗類を載置可能に構成されている。使用者が碗類セットかご１３に椀類を載置する場合、様々な食器の形状に対しても、複数の支持ピン１４を利用して支持位置を変えることにより、それぞれの食器を安定して載置できる。また、樹脂製であることの特徴として、使用者が食器を載置するときにソフトな感触が得られるとともに、指が支持ピン１４の先に当たっても痛くないという利点がある。
【先行技術文献】
【特許文献】
【０００４】
【特許文献１】特開平３−２１５２３３号公報
【発明の概要】
【発明が解決しようとする課題】
【０００５】
しかしながら、前記従来の構成では、使用者が食器を載置しようと食器かご９全体を見たときに、皿類セット部１１、碗類セットかご１３ともに、数多くの支持ピンが林立し、様々な形状を有する食器１０をどこに載置してよいか認識しにくいという課題を有していた。さらに、正しいセット位置が認識しにくいため、食器１０が正しい方向や姿勢で載置されず、洗浄水が的確に当たらないため洗浄性が低下するという問題を有していた。
【０００６】
本発明は、食器かごの、特に椀類のセット部に、高台を有する食器の断面形状を模した連結部材が形成されることで、食器かごに載置できる食器の種類・セット位置・セット方向を使用者が直感的に認識できるようにし、セット性を向上することを目的とする。
【課題を解決するための手段】
【０００７】
前記従来の課題を解決するために、本発明の食器洗い機は、食器類を横向きに立てて載置する食器かごを備え、前記食器かごは、前記食器類の少なくとも２ヶ所の下部をそれぞれ支持する支持部材と、前記複数の支持部材を繋ぐように構成される連結部材とを有し、前記連結部材は、高台を有する食器の断面形状を模して形成された高台もので、載置できる食器の種類や載置する方向を使用者が直感的に認識できるようになり、食器のセット性を向上することができる。
【発明の効果】
【０００８】
本発明の食器洗い機は、食器かごの食器セット部に、高台を有する食器の断面形状を模した連結部材が形成されることにより、載置できる食器の種類や載置する方向を直感的に認識できるようになり、食器のセット性を向上することができ、使い勝手が良く本来の洗浄性能が発揮できる食器洗い機を提供することができる。
【図面の簡単な説明】
【０００９】
【図１】本発明の実施の形態１における食器洗い機の縦断面図
【図２】同食器洗い機の食器かごの斜視図
【図３】同食器洗い機の食器かごの上面図
【図４】（ａ）同食器かごの碗類セット部の斜視図（ｂ）同食器かごの中鉢類セット部の斜視図（ｃ）同食器かごの皿類セット部の斜視図（ｄ）同食器かごのコップ類セット部の斜視図
【図５】碗類セット部の要部拡大図
【図６】図３のＡ−Ａ断面図
【図７】（ａ）同食器かごの連結部材の他の形状の斜視図（ｂ）同食器かごの連結部材の他の形状の斜視図
【図８】本発明の実施の形態２における食器洗い機の食器かごの連結部材の斜視図
【図９】従来の食器洗い機の縦断面図
【図１０】従来の食器洗い機の食器かごの上面図
【発明を実施するための形態】
【００１０】
第１の発明の食器洗い機は、食器類を横向きに立てて載置する食器かごを備え、前記食器かごは、前記食器類の少なくとも２ヶ所の下部をそれぞれ支持する支持部材と、前記複数の支持部材を繋ぐように構成される連結部材とを有し、前記連結部材は、高台を有する食器の断面形状を模して形成されたもので、載置できる食器の種類や載置する方向を使用者が直感的に認識できるようになり、食器のセット性を向上することができる。
【００１１】
第２の発明は、第１の発明において、前記連結部材の高台形状が凹形状で形成されたもので、ノズルから噴射される洗浄水がさえぎられる範囲が少なくなり、洗浄性を向上することができる。
【００１２】
以下、本発明の実施の形態について、図を参照しながら説明する。なお、この実施の形態によって本発明が限定されるものではない。
【００１３】
（実施の形態１）
図１〜図７は、本発明の実施の形態１における食器洗い機を示すもので、キッチンカウンタの下に設置されるビルトイン型食器洗い機である。図１及び図２において、前方に本体開口部１５を有する筐体１６の内部に、前後に移動可能な洗浄槽１７が設けられる。洗浄槽１７は、前方に本体開口部１５を覆う扉体１８と、上部に洗浄槽開口部１９が設けられ、内部に食器類２０を載置する食器かご２１が配置されている。食器かご２１は、樹脂で一体に形成された食器かご本体２２と、食器かご本体２２に着脱可能に構成されるコップ類セット部２３と、箸やスプーン等の細長いカトラリー類を立てて収容できる小物入れ２５とで構成される。コップ類セット部２３の下方には食器類から洗い流された残さいを捕集する残さいフィルタ（図示せず）が配置され、コップ類セット部２３を取り外すことで、残さいフィルタの取り出しが可能なように構成される。
【００１４】
ここで、食器かご本体２２の詳細な構成を図３により説明する。食器かご本体２２は樹脂で一体に構成され、向かって左側を碗類セット部２６、下側中央部を中鉢類セット部２７、その右側を皿類セット部２８とし、上側中央部に小物入れ２５を配置し、その右側を
コップ類セット部２３としている。それぞれのセット部間および外周は、枠状部材２２ａにより区分けされている。椀類２０ａ、中鉢類２０ｂ、皿類２０ｃなどの食器類２０は、横向きに立てて載置され、コップ類２０ｄは飲み口を下に向けて載置される。
【００１５】
図４〜図６において、碗類セット部２６は、横向きに立てて載置される椀類２０ａの下部２ヶ所をそれぞれ支持する支持部材２９と、これら複数の支持部材２９を繋ぐように構成される連結部材３０とを、複数列形成して構成される。また、支持部材２９は、椀２０ａの下部を下方から支持する支持部２９ａと前方から支持する支持ピン２９ｂとから構成される。連結部材３０の中央部は食器の高台形状を模した凸形状となっており、連結部材３０は上方から見ると、載置される碗類２０ａの断面形状を模した形状となっている。また、中鉢類セット部２７についても椀類２０ａと同様の構成としており、連結部材３１は、載置される中鉢類２０ｂの断面形状を模した形状となっている。
【００１６】
また、皿類セット部２８は皿類２０ｃの下部を支持する支持部２８ａ上に支持ピンＡ２８ｂ、その外側の両側に支持ピンＢ２８ｃが配置され、それぞれの支持ピン間が円弧状の連結部材２８ｄにより連結されている。
【００１７】
さらに、コップ類セット部２３は枠体２３ａと桟状部材２３ｂで構成され、桟状部材２３ｂはコップ類２０ｄを斜めに載置できるように傾斜している。また、桟状部材２３ｂのコップ類２０ｄの各セット位置には、リング状部材２３ｃがそれぞれ形成され、さらに、載置するコップ類２０ｄの内部を支持するコップ類支持ピン２３ｄが各セット位置に形成されている。
【００１８】
以上のように構成された食器洗い機について、以下その動作、作用を説明する。使用者は食器類２０を食器かご２１に載置する際に、セット位置を確認するが、碗類２０ａ、中鉢類２０ｂ、皿類２０ｃの食器セット位置にはそれぞれの食器形状を模した連結部材（３０、３１）が形成され、コップ類２０ｄのセット位置にはリング状部材２３ｃが形成されているため、使用者は直感的にセット場所やセット向きが認識可能であり、食器の載置時間を短縮することができる。
【００１９】
さらに、食器洗い機は、正しいセット位置に対して洗浄水の噴射方向が設定されているため、間違った方向に食器を載置された場合、うまく洗えず洗浄性能の低下を招く場合があった。しかし、本実施の形態によれば、使用者は直感的にセット方向が認識できるため、セット方向を間違えることなく食器の載置が可能となり、洗浄性能の低下を招くことなく、食器洗い機本来の洗浄性能を発揮させることができる。
【００２０】
また、食器かご２１は枠状部材２２ａにより、食器の種類ごとに区分けされており、セット場所をさらに分かりやすくしている。
【００２１】
ここで、碗類セット部２６へ碗類２０ａを載置した状態の詳細を図５で説明する。碗類２０ａは、下部の２ヶ所（Ｂ，Ｃ）を下方から支持部２９ａで支持され、前方から支持ピン２９ｂの根元で支持される。さらに、碗類２０ａの後方は、複数配列されている中の後ろの２本の支持ピン２９ｂの先端部で両側（Ｄ，Ｅ）を支持され、碗類２０ａは横向きに安定して自立することができる。
【００２２】
また、図６において、連結部材３０の断面形状は食器のセット方向に対して面取りをした形状となっており、食器の載置時に邪魔になることなく、スムーズに載置できるようになっている。同時に、下方から噴射される洗浄水を遮蔽してしまうことを最小限にしている。また、複数の連結部材３０の高さ位置を全て同一とすることで、コップや湯のみといったコップ類２０ｄを連結部材３０上に載置することが可能である。
【００２３】
また、食器かご本体２２は樹脂で一体に形成されており、連結部材で各支持ピン間を連結していることから、食器かご自体の剛性を向上することにも寄与している。
【００２４】
また、連結部材３０の形状は本実施の形態で説明したものに限定されるものではなく、食器かごのデザインや載置する食器の種類などに合わせて連結部材の形状を変更し、図７（ａ）に示す円弧形状の連結部材３０ａや、図７（ｂ）に示す台形形状の連結部材３０ｂ等としても本発明の効果は同様である。また、本実施の形態では、食器かごを樹脂で形成して連結部材も樹脂製としたが、これらをワイヤーで構成しても同様の効果が得られることはいうまでもない。
【００２５】
また、食器類２０の下部や後の支持点数は本実施の形態１では２ヶ所ずつとしたが、これに限定されるものではなく、安定的に支持できれば問題ない。
【００２６】
（実施の形態２）
図８は、本発明の実施の形態２における食器洗い機の食器かごの連結部材の斜視図である。図８において、連結部材３２は、連結部材３０などに形成される高台形状を模した凸形状を、連結部材３２の湾曲した内側端面３２ａに凹形状で形成したものである。実施の形態１で説明した凸形状に比べ、連結部材３２に細い部分が形成されることで洗浄水の遮蔽がさらに少なくなり、洗浄性をより向上することができる。
【産業上の利用可能性】
【００２７】
以上のように、本発明にかかる食器洗い機は、食器セット部に高台を有する食器の断面形状を模した連結部材を形成することで、使用者が載置できる食器の種類や載置する方向を直感的に認識できるようになり、食器のセット性を向上することができるので、食器洗い機や食器乾燥機などに設置される食器かご等に有用である。
【符号の説明】
【００２８】
２１    食器かご
２９  支持部材
２９ａ  支持部
２９ｂ  支持ピン
３０，３０ａ，３０ｂ，３１，３２  連結部材
【図２】
2014076138.tif 000003
【図３】
2014076138.tif 000004
【図４】
2014076138.tif 000005
【図５】
2014076138.tif 000006
【図９】
2014076138.tif 000007
【図１０】
2014076138.tif 000008
【図１】
2014076138.tif 000009
【図６】
2014076138.tif 000010
【図７】
2014076138.tif 000011
【図８】
2014076138.tif 000012